(57)【要約】【課題】スペクトルを表示する際に、表示範囲の変更が簡単にできるようにする。【解決手段】縦軸と横軸で設定される表示範囲に、スペクトルのグラフを含む表示画面を作成する。ここで、表示画面の特定のエリア１３０に、過去の表示範囲の履歴１３１，１３２，１３３を表示する。そして、その表示された過去の表示範囲の履歴１３１，１３２，１３３のいずれ１つがユーザ操作で選択されたとき、該当する過去の表示範囲のスペクトルのグラフを含む表示画面を作成する。【選択図】図３
2017026349.tif 000002
【特許請求の範囲】
【請求項１】
スペクトルデータに基づいて、縦軸と横軸で設定される表示範囲に、スペクトルのグラフを含む表示画面を作成する描画処理部と、
前記描画処理部が描画した過去のスペクトルのグラフの表示範囲の履歴を記憶するメモリと、
ユーザの操作による操作データを前記描画処理部に出力する操作部と、
前記描画処理部によるスペクトルのグラフを含む表示画面の作成を制御する制御部と、を備え、
前記制御部は、
前記描画処理部によって作成されるグラフの縦軸と横軸の少なくとも一方の軸の表示範囲を、前記操作部からの操作データに基づいて設定すると共に、
前記表示画面の特定のエリアに、前記メモリに記憶された過去の表示範囲の履歴を１個又は複数個表示させ、
前記表示された過去の表示範囲の履歴が前記操作データによって選択されたとき、該当する過去の表示範囲のスペクトルのグラフを含む表示画面を前記描画処理部に作成させる、
スペクトル表示装置。
【請求項２】
前記表示画面の特定のエリアに表示される過去の表示範囲の履歴は、前記スペクトルのグラフを縮小した縮小画像である
請求項１に記載のスペクトル表示装置。
【請求項３】
前記縮小画像は、縦軸と横軸の少なくとも一方の軸の表示範囲の最小値と最大値を表示するようにした
請求項２に記載のスペクトル表示装置。
【請求項４】
前記描画処理部が描画する画面内の前記特定のエリアの近傍には、前記縮小画像のスクロールを指示するスクロールバーを表示し、
前記制御部は、前記操作部から出力される操作データで、前記スクロールバーの操作を検出したとき、前記描画処理部が描画する画面内の前記特定のエリアに表示される前記縮小画像をスクロールする
請求項２に記載のスペクトル表示装置。
【請求項５】
前記縮小画像として表示されるスペクトルのグラフは、スペクトルデータの更新と連動して更新されるリアルタイムのスペクトルデータのグラフである
請求項２に記載のスペクトル表示装置。
【請求項６】
前記画面の特定のエリアに表示される過去の表示範囲の履歴は、表示範囲の最小値と最大値を数値で示すようにした
請求項１に記載のスペクトル表示装置。
【請求項７】
スペクトルデータに基づいて、縦軸と横軸で設定される表示範囲に、スペクトルのグラフを含む表示画面を作成する描画処理と、
前記描画処理で描画した過去のスペクトルのグラフの表示範囲の履歴を記憶する記憶処理と、
ユーザの操作による操作データを前記描画処理に用いるために出力する操作処理と、
前記描画処理で作成されるグラフの縦軸と横軸の少なくとも一方の軸の表示範囲を、前記操作データに基づいて設定すると共に、前記画面の特定のエリアに、前記記憶処理で記憶された過去の表示範囲の履歴を１個又は複数個表示させ、その表示された過去の表示範囲の履歴が前記操作データで選択されたとき、該当する過去の表示範囲のスペクトルのグラフを含む画面を前記描画処理で作成させる制御処理とを含む
スペクトル表示方法。
【発明の詳細な説明】
【技術分野】
【０００１】
本発明は、質量分析計、核磁気共鳴装置、分光光度計などから得られるスペクトルを表示するスペクトル表示装置及びスペクトル表示方法に関する。
【背景技術】
【０００２】
質量分析計、核磁気共鳴装置、分光光度計などの分析装置で得られたスペクトルを表示するスペクトル表示装置が各種実用化されている。スペクトル表示装置は、専用のハードウェアで構成された表示装置としてもよいが、表示部を備えたコンピュータ装置で構成するのが一般的である。すなわち、表示部を備えたコンピュータ装置に、測定により得られたスペクトルデータによる表示を行うソフトウェアがインストールされることで、コンピュータ装置がスペクトル表示装置として機能するようになる。
【０００３】
通常、分析装置で得られたスペクトルを表示して解析する際には、ユーザが画面上に表示される範囲を調整して、所望の範囲のスペクトルを表示する。すなわち、測定する試料により質量や強度が異なるため、ユーザは、スペクトルが適切に表示されるように表示範囲を適切に調整する必要がある。
【０００４】
特許文献１には、質量スペクトルの分析装置が備える表示部で、スペクトルを表示する技術が記載されている。特許文献１の図１や図２には、横軸をｍ／ｚ値（質量ｍと電荷ｚの比の値）とし、縦軸を強度としたスペクトルの表示例が記載されている。
【先行技術文献】
【特許文献】
【０００５】
【特許文献１】特開２００４−１３２９４６号公報
【発明の概要】
【発明が解決しようとする課題】
【０００６】
ところで、スペクトルを表示する際に、スペクトル表示装置における表示範囲の調整は、ｍ／ｚ値や強度などの表示範囲をユーザが個別に適切に調整する必要があるため、ユーザにとって必ずしも簡単にできることではなかった。特に、質量分析装置などで得られるスペクトルは、質量範囲やピーク強度の下限値から上限値までの範囲が非常に広く、目的とする試料のスペクトルを詳細に見るためには、スペクトルの注目する範囲を取り出して拡大して表示させる必要があり、表示範囲を適切に調整することが重要であった。
従来のスペクトル表示装置においては、ある範囲のスペクトルを表示した状態で、先に観察していた表示範囲に戻りたい場合に、元に戻すことを指示する「ｕｎｄｏ」（アンドゥ）のボタンが画面上に表示されていた。
【０００７】
「ｕｎｄｏ」のボタンがユーザにより操作されたとき、スペクトル表示装置は、表示画面の表示範囲を、１つ前の調整状態に戻す処理を行う。このため、画面上に「ｕｎｄｏ」のボタンを用意することで、ユーザは、１つ前の表示範囲に戻すことが簡単にできるようになる。例えば、ユーザが直前の表示範囲を再度見たい場合などには、「ｕｎｄｏ」のボタンによる操作が便利になる用途もある。
【０００８】
しかしながら、「ｕｎｄｏ」のボタンによる操作は、直前に設定した表示範囲をユーザが覚えていない限り、有効には活用できない。すなわち、直前に設定した表示範囲をユーザが覚えていない場合には、「ｕｎｄｏ」のボタンが操作されたとき、どのような表示範囲になるのかユーザには判らない。このため、前回表示範囲を変更する操作をしてから、ある程度時間が経過して、前回の表示範囲が判らなくなってしまった場合には、「ｕｎｄｏ」のボタンが有効に活用されないという問題がある。
【０００９】
本発明の目的は、スペクトルを表示する際に、表示範囲の変更が簡単にできるスペクトル表示装置及びスペクトル表示方法を提供することにある。
【課題を解決するための手段】
【００１０】
本発明のスペクトル表示装置は、スペクトルデータに基づいて、縦軸と横軸で設定される表示範囲に、スペクトルのグラフを含む表示画面を作成する描画処理部と、描画処理部が描画した過去のスペクトルのグラフの表示範囲の履歴を記憶するメモリと、ユーザの操作による操作データを前記描画処理部に出力する操作部と、描画処理部での画面の作成を制御する制御部とを備える。
制御部は、描画処理部が作成するグラフの縦軸と横軸の少なくとも一方の軸の表示範囲を、操作部からの操作データに基づいて設定すると共に、画面の特定のエリアに、メモリが記憶した過去の表示範囲の履歴を１個又は複数個表示させ、その表示された過去の表示範囲の履歴が操作データで選択されたとき、該当する過去の表示範囲のスペクトルのグラフを含む画面を描画処理部で作成させる。
【００１１】
また、本発明のスペクトル表示方法は、以下の各処理を含むものである。
・スペクトルデータに基づいて、縦軸と横軸で設定される表示範囲に、スペクトルのグラフを含む画面を作成する描画処理、
・描画処理で描画した過去のスペクトルのグラフの表示範囲の履歴を記憶する記憶処理、
・ユーザの操作による操作データを描画処理部に出力する操作処理、
・描画処理部が作成するグラフの縦軸と横軸の少なくとも一方の軸の表示範囲を、操作データに基づいて設定すると共に、画面の特定のエリアに、記憶処理で記憶された過去の表示範囲の履歴を１個又は複数個表示させ、その表示された過去の表示範囲の履歴が操作データで選択されたとき、該当する過去の表示範囲のスペクトルのグラフを含む画面を描画処理で作成させる制御処理。
【発明の効果】
【００１２】
本発明によると、画面の特定のエリアに、過去のスペクトルのグラフの表示範囲の履歴が表示されるため、ユーザは表示された履歴の選択で、過去の表示範囲と同じ表示範囲のスペクトルのグラフを簡単に表示できるようになる。
【図面の簡単な説明】
【００１３】
【図１】本発明の第１の実施の形態例によるスペクトル表示装置の構成例を示すブロック図である。
【図２】本発明の第１の実施の形態例によるスペクトル表示装置の表示例（履歴選択部を表示しない例）を示す説明図である。
【図３】本発明の第１の実施の形態例によるスペクトル表示装置の表示例（履歴選択部を表示した例：例１）を示す説明図である。
【図４】本発明の第１の実施の形態例によるスペクトル表示装置の表示処理例を示すフローチャートである。
【図５】本発明の第１の実施の形態例によるスペクトル表示装置の表示例（履歴選択部を表示した例：例２）を示す説明図である。
【図６】本発明の第１の実施の形態例によるスペクトル表示装置の表示例（履歴選択部を表示した例：例３）を示す説明図である。
【図７】本発明の第１の実施の形態例によるスペクトル表示装置の表示例（履歴選択部を表示した例：例４）を示す説明図である。
【図８】本発明の第２の実施の形態例によるスペクトル表示装置の表示処理例を示すフローチャートである。
【図９】本発明の第２の実施の形態例によるスペクトル表示装置の表示例を示す説明図である。
【発明を実施するための形態】
【００１４】
＜１．第１の実施の形態例＞
以下、本発明の第１の実施の形態例を、図１〜図７を参照して説明する。
［１−１．スペクトル表示装置の構成例］
図１は、本発明の第１の実施の形態例のスペクトル表示装置１０の構成を示す。スペクトル表示装置１０は、表示部１６を備えたコンピュータ装置で構成され、図１に示す構成は、コンピュータ装置が実行する機能から見た機能ブロック図である。
スペクトル表示装置１０は、質量分析装置１が出力するスペクトルデータが入力されるデータ取込部１１を備える。データ取込部１１に入力されたスペクトルデータは、メモリ１４に記憶されると共に、描画処理部１３に供給される。
【００１５】
描画処理部１３は、制御部１２の制御下で、スペクトルを表示する画面を描画する処理を行う。描画処理部１３が描画する画面の具体的な例は後述する。描画処理部１３が描画して得た表示データは、表示部１６に供給される。表示部１６は、描画処理部１３で描画されたスペクトルを表示する。
なお、図１では、スペクトル表示装置１０が表示部１６を内蔵する構成としたが、表示部１６は、スペクトル表示装置１０とは別体としてもよい。スペクトル表示装置１０と表示部１６とを別体として構成した場合には、描画処理部１３で作成された表示データがスペクトル表示装置１０から出力され、外部の表示部（表示装置）１６に供給されることになる。
【００１６】
また、スペクトル表示装置１０は操作部１５を備え、ユーザの操作を受け付ける操作処理を行う。操作部１５は、通常ユーザにより操作が可能なキーボードやマウスなどを備える。なお、操作部１５として、表示部１６に組み込まれたタッチパネルを使用してもよい。
ユーザ操作によって操作部１５で得られた操作データは、制御部１２に供給される。制御部１２は、供給される操作データに基づいて、スペクトルデータの表示モードを設定する。そして、制御部１２による表示モードの設定状況に対応したスペクトルの画面が描画処理部１３によって描画される。
【００１７】
操作部１５から入力される操作データによって、制御部１２が設定する項目の１つに、スペクトル表示を行う際の表示範囲の設定がある。すなわち、スペクトルは、ここでは横軸をｍ／ｚ値（質量ｍと電荷ｚの比の値）、縦軸を強度としたグラフとして表示されるが、そのｍ／ｚ値の表示範囲と強度の表示範囲は、ユーザ操作による操作データに基づいて、設定またはその変更が為される。
なお、ｍ／ｚ値の表示範囲と強度の表示範囲の少なくともいずれか一方が変更された場合には、変更前の表示範囲が履歴データとしてメモリ１４に記憶される。このとき、メモリ１４に、後述する縮小画像を同時に記憶するようにしてもよい。
そして、表示部１６に表示される画面が、履歴選択領域１３０（図３参照）を有する表示モードであるとき、制御部１２は、メモリ１４に記憶された履歴データに基づいて、履歴選択領域１３０に履歴表示を行う。この履歴選択領域１３０を含む画面は、描画処理部１３によって描画されるものである。
なお、図１に示すように、スペクトル表示装置１０内の各部は、バスライン１７により接続されている。
【００１８】
［１−２．表示例（例１）］
表示部１６に表示されるスペクトルの例を、図２及び図３を参照して説明する。
図２に示す表示画面１００Ａは、後述する履歴選択領域１３０（図３）を表示しない例である。
スペクトル表示領域１１０の横軸１１０ｘは、スペクトルの質量などの測定値（ここではｍ／ｚ値：質量ｍと電荷ｚの比）であり、縦軸１１０ｙはスペクトルデータで得られた値をプロットした検出強度である。横軸１１０ｘは、下限値０から上限値１０００までの２００ごとの値が表示され、縦軸１１０ｙは、下限値０から上限値１０００までの１００ごとの値が表示されている。
【００１９】
これらの横軸１１０ｘと縦軸１１０ｙの表示範囲、すなわち各軸の下限値から上限値までの範囲は、ユーザの操作によって自由に調整することができる。表示範囲を調整する際には、ユーザの操作で横軸と縦軸の下限値及び上限値が入力され、表示範囲が設定される。あるいは、画面にグラフが表示された状態で、ユーザ操作で表示されたグラフを拡大，縮小などを指示する操作を行って、ユーザが範囲を指示するようにしてもよい。
【００２０】
表示画面１００Ａのスペクトル表示領域１１０の上端には、コマンド領域１２０が表示される。
コマンド領域１２０には、複数の操作ボタン１２１，１２２，１２３，１２４，１２５が表示される。操作ボタン１２１〜１２５としては、メニュー画面の表示に戻るボタン、履歴選択領域１３０の表示のオン・オフを指示するボタン、別の表示モードを指示するボタンなどが設けられる。
【００２１】
図３に示す表示画面１００Ｂは、スペクトル表示領域１１０の一部に、履歴選択領域１３０を表示した例である。図３に示す表示画面１００Ｂは、例えば図２に示す表示画面１００Ａを表示した状態で、ユーザ操作によって、履歴選択領域１３０の表示を指示するボタン（例えば操作ボタン１２１など）が選択されたときに表示部１６に表示される。以下の説明では、表示部１６に履歴選択領域１３０が表示された状態を、履歴表示モードと称する。
図３の例では、スペクトル表示領域１１０の一部（上側）に履歴選択領域１３０が重なる状態で表示されている。ここでは、履歴選択領域１３０に、３個の縮小画像１３１，１３２，１３３が横に並べて表示されている。
【００２２】
それぞれの縮小画像１３１，１３２，１３３は、過去の時点において、スペクトル表示領域１１０に表示されたグラフを縮小した画像である。すなわち、各縮小画像１３１，１３２，１３３は、過去においてスペクトル表示領域１１０に表示されたグラフを、縮小画像の表示面積の画素数に合わせてスペクトルをプロットし直したものであり、縮小した状態で大まかな内容が判るようにデフォルメされている。
【００２３】
各縮小画像１３１，１３２，１３３の横軸１３１ｘ，１３２ｘ，１３３ｘと縦軸１３１ｙ，１３２ｙ，１３３ｙに配置される数値は、下限値と上限値のみが表示され、下限値と上限値の間の数値は省略されている。なお、縮小画像１３１，１３２，１３３内の下限値と上限値の文字のサイズは、スペクトル表示領域１１０に表示する数値とほぼ同じサイズとし、ユーザが数値を容易に判読できるようにする。
【００２４】
履歴選択領域１３０の近傍（図３の例では下側）には、スクロールバー１３９が配置される。スクロールバー１３９は、ノブ１３９ａの位置をスライドさせて、履歴選択領域１３０に表示される縮小画像をスクロールするために用いられる。すなわち、図３の例では、３つの縮小画像１３１，１３２，１３３を配置した例を示すが、過去の履歴の縮小画像が４個以上存在する場合には、ユーザ操作でノブ１３９ａの位置をスライドさせることで、履歴選択領域１３０は別の縮小画像を表示することができる。
【００２５】
複数の縮小画像１３１，１３２，１３３，・・・は、例えばスペクトル表示領域１１０に表示した時間が新しいものから順に表示される。例えば、左端の縮小画像１３１は、現在スペクトル表示領域１１０に表示中のスペクトルのグラフの１つ前の表示範囲のグラフとし、縮小画像１３１の隣の縮小画像１３２は、さらに１つ前の表示範囲のグラフとし、以下、右側にずれるごとに１つ前の表示範囲のグラフとする。
このように表示した順番に並べるのは１つの例であり、別のルールで表示順序を決めてもよい。例えば、縮小画像内の上限値や下限値に基づいて表示する縮小画像の順序を決めるようにしてもよい。
【００２６】
［１−３．表示処理の例］
図４は、制御部１２の制御で行われるスペクトルデータの表示処理の流れを示すフローチャートである。この図４のフローチャートに示す処理は、表示部１６に図２，図３に示すように、スペクトル表示領域１１０が表示された状態のときに行われる。
【００２７】
まず、制御部１２は、操作部１５からスペクトルの表示範囲を変更する操作データが供給されたか否かを判断する（ステップＳ１１）。ここで、スペクトルの表示範囲を変更する操作データが供給されたと判断したとき、制御部１２の制御下で、変更前の表示範囲の値（ｍ／ｚ値の下限値，上限値と検出強度の下限値，上限値）が、メモリ１４に記憶される（ステップＳ１２）。このとき、制御部１２の制御下で、描画処理部１３は、変更前のスペクトルから縮小画像を作成し、作成された縮小画像がメモリ１４に記憶される。
【００２８】
そして、制御部１２は、操作データで指示された内容に基づいて、スペクトル表示領域１１０に表示されるスペクトルの表示範囲を変更する（ステップＳ１３）。
そして、制御部１２は、スペクトルの表示範囲を変更した後に、そのときの表示モードが履歴表示モードであるとき、描画処理部１３に対して、ステップＳ１２で新たに記憶した縮小画像を含む、履歴選択領域１３０の描画を指示し、履歴選択領域１３０を含む画面（図３の表示画面１００Ｂなど）を表示部１６に表示する（ステップＳ１４）。
【００２９】
ステップＳ１４で履歴選択領域１３０を表示した後と、ステップＳ１１で表示範囲の変更操作がないと判断した場合には、制御部１２は、ステップＳ１５の判断に移る。すなわち、制御部１２は、ユーザ操作で履歴選択領域１３０内のいずれかの履歴（縮小画像）が選択されたか否かを判断する。ここでの選択とは、例えば表示された縮小画像１３１，１３２，１３３，・・・の内のいずれかの表示箇所が、ユーザ操作でクリックされる選択を意味する。
このステップＳ１５の判断で、いずれかの履歴が選択されたとき、制御部１２はステップＳ１２の処理に戻り、変更前の表示範囲の値のメモリ１４への記憶処理が行い、ステップＳ１３でのスペクトルの表示範囲の変更処理を行う。
【００３０】
また、ステップＳ１５で、履歴の選択がないと判断された場合には、制御部１２はステップＳ１１の判断処理に戻る。
なお、ステップＳ１５での履歴の選択により、ステップＳ１３で表示範囲が変更された場合、表示部１６に表示される画面は、履歴選択領域１３０の表示を消して、履歴表示モードを終了してもよい。
すなわち、図３に示す画面１００Ｂで履歴選択領域１３０の履歴が選択されたとき、制御部１２は、スペクトル表示領域１１０の履歴の表示範囲を変更するとともに、図２に示す画面１００Ａの表示形態に移るようにしてもよい。あるいは、ユーザ操作で、履歴選択領域１３０を消す操作が行われるまで、履歴選択領域１３０の表示を表示部１６に継続して行い、履歴表示モードが継続するようにしてもよい。
【００３１】
以上説明したように、本実施の形態例によるスペクトル表示装置１０によれば、画面中の履歴選択領域１３０に、過去のスペクトルのグラフの表示範囲の履歴が判る縮小画像１３１，１３２，１３３，・・・が表示されるため、ユーザは表示された履歴の縮小画像１３１，１３２，１３３，・・・を選択することにより、過去の表示範囲と同じ表示範囲のスペクトルのグラフを、クリック操作などの簡単な操作だけで表示できるようになる。
【００３２】
特に、質量分析装置１で得られるスペクトルは、ｍ／ｚ値などの下限値から上限値までの範囲が非常に広いので、スペクトル表示装置１０を使用して目的とする試料のスペクトルを詳細に見るためには、ユーザは、表示範囲をその試料のスペクトルのピークの出現状況に合わせて適切に設定する必要がある。ここで、本実施の形態例のスペクトル表示装置１０の場合には、例えば過去に同じような特性の試料のスペクトル表示履歴を使用して、同じ表示範囲に設定することが簡単にできる。したがって、ユーザは、ｍ／ｚ値や強度の範囲を個別に調整する作業を行う必要がなく、非常に簡単な作業で、適切な表示範囲のスペクトルのグラフを表示できるようになる。
【００３３】
［１−４．その他の表示例］
次に、画面が履歴選択領域を表示する場合の、図３の例とは別の表示形態を、図５〜図７を参照して説明する。
図５に示す表示画面１００Ｃは、スペクトル表示領域１１０とは重ならない箇所に、履歴選択領域１４０を配置した例である。図５の例では、表示画面１００Ｃの右端のスペクトル表示領域１１０とは重ならない箇所に、履歴選択領域１４０が配置されている。ここでは、履歴選択領域１４０には、過去の履歴である複数の縮小画像１４１，１４２，１４３が縦に並べて表示されている。この場合にも、過去の履歴が４個以上ある場合、表示画面１００Ｃは、履歴選択領域１４０の近傍（図５では右端）にスクロールバー１４９が表示される。そして、ユーザ操作によりノブ１４９ａの位置を縦方向にスライドすることで、縮小画像がスクロールされる。
【００３４】
それぞれの縮小画像１４１，１４２，１４３は、図３の例の履歴選択領域１３０の縮小画像１３１，１３２，１３３と同様の画像とする。すなわち、それぞれの縮小画像１４１，１４２，１４３の横軸１４１ｘ，１４２ｘ，１４３ｘと縦軸１４１ｙ，１４２ｙ，１４３ｙは、数値として下限値と上限値のみが表示される。各縮小画像１４１，１４２，１４３は、過去にスペクトル表示領域１１０に表示されたグラフを、縮小画像の表示面積の画素数に合わせてプロットし直したものであり、縮小した状態で大まかな内容が判るようにデフォルメされた画像である。
【００３５】
図５に示す表示画面１００Ｃの場合には、スペクトル表示領域１１０と履歴選択領域１４０とが重ならないため、履歴選択領域１４０を常時画面上に表示した場合であっても、ユーザは、スペクトル表示領域１１０でのスペクトル表示を良好に確認できる。このため、ユーザは、例えば常に履歴表示モードとして、表示範囲の変更操作を逐次行いながら、同時にスペクトル表示領域１１０でのスペクトルの確認を行うことができるようになる。
なお、図５に示す表示画面１００Ｃで、ユーザ操作で履歴表示モードを停止させて、履歴選択領域１４０を消去した場合には、スペクトル表示領域１１０の表示面積を広げて、グラフを広い面積で表示するようにしてもよい。
【００３６】
図６に示す表示画面１００Ｄは、スペクトル表示領域１１０の上に、履歴選択領域１５０を表示する例である。この例の履歴選択領域１５０には、複数の縮小画像１５１，１５２，１５３，１５４，１５５が重ねられた状態で表示され、一番上側の縮小画像１５１の画像の内容だけが表示される。履歴選択領域１５０内の他の縮小画像１５２，１５３，１５４，１５５は、それぞれの画像の縁だけを表示し、グラフの内容は表示されない。
【００３７】
そして、履歴選択領域１５０の近傍には、縮小画像１５１〜１５５の内の上側になる画像を指示するためのスクロールバー１５９が表示される。このスクロールバー１５９内のノブ１５９ａの位置が、一番上側であるとき、表示画面１００Ｄは、最も新しい履歴の縮小画像１５１が表面に表示される。そして、ユーザ操作によるノブ１５９ａの位置の変更により、表示画面１００Ｄは、他の縮小画像１５２〜１５５が表面に表示されるようになる。
【００３８】
この図６に示す表示画面１００Ｄの場合、履歴選択領域１５０の表示面積を比較的小さくできるため、スペクトル表示領域１１０と履歴選択領域１５０とを重ねて表示した場合でも、ユーザはスペクトル表示領域１１０に表示されるスペクトルを、比較的良好に確認できるようになる。
なお、表示画面１００Ｄとしては、スペクトル表示領域１１０と履歴選択領域１５０とを、それぞれ別の箇所に表示するようにしてもよい。
【００３９】
図７に示す表示画面１００Ｅは、表示範囲の数値を示す履歴選択領域１６０を表示する例である。
この例の履歴選択領域１６０には、ｘ軸とｙ軸の表示範囲を数値で示す複数の履歴１６１，１６２，１６３の一覧が表示される。例えば、履歴１６１は、ｘ軸がｍ／ｚ値０−１０００、ｙ軸が強度０−１０００を示す。同様に、他の履歴１６２，１６３についても、ｘ軸とｙ軸の範囲が数値で示されている。
そして、履歴選択領域１６０の近傍には、スクロールバー１６９が表示される。履歴選択領域１６０の表示面積を超えた履歴が存在する場合に、ユーザ操作で、このスクロールバー１６９内のノブ１６９ａの位置を変更することにより、制御部１２は、履歴選択領域１６０に表示される履歴をスクロールする。
【００４０】
この表示画面１００Ｅの場合、履歴選択領域１６０は、スペクトル表示領域１１０と別の箇所に表示されるようにして、スペクトル表示領域１１０と履歴選択領域１６０とが重ならないようにした。これに対して、履歴選択領域１６０がスペクトル表示領域１１０の一部の箇所に重ねて表示されるようにしてもよい。
【００４１】
図７に示す表示画面１００Ｅの場合には、履歴選択領域１６０に表示範囲の数値の一覧が表示されるため、ユーザは、一覧の数値から所望の表示範囲を迅速に選択できるようになる。
なお、スペクトル表示装置１０は、ユーザ操作で、ここまで説明した表示画面１００Ｂ，１００Ｃ，１００Ｄ，１００Ｅが選択できるようにしてもよい。
【００４２】
＜２．第２の実施の形態例＞
以下、本発明の第２の実施の形態例を、図８〜図９を参照して説明する。
本発明の第２の実施の形態例は、スペクトル表示装置１０に表示される画面内のスペクトル表示領域と履歴選択領域のそれぞれが、リアルタイムのスペクトルデータのグラフとなるようにしたものである。
第２の実施の形態例において、スペクトル表示装置１０の全体構成は、第１の実施の形態例で説明した図１に示すスペクトル表示装置１０が適用され、表示範囲の変更操作時の処理についても、図４に示すフローチャートの処理が適用される。ここで表示部１６には、例えば図５に示すように、スペクトル表示領域１１０と履歴選択領域１４０とが同時に表示され、履歴選択領域１４０に縮小画像１４１などが表示される。但し、第２の実施の形態例では、メモリ１４には、縮小画像を記憶せず、縮小画像を作成するのに必要な表示範囲の履歴などを記憶する。そして、履歴選択領域１４０に表示される縮小画像は、描画処理部１３が、スペクトル表示領域１１０に表示されるグラフを作成する際に、同時に作成される。
【００４３】
［２−１．表示の更新処理例］
図８は、制御部１２の制御下で行われる、表示の更新処理を示すフローチャートである。
図８のフローチャートに示す処理について説明すると、まず制御部１２は、データ取込部１１に入力されたスペクトルデータが、新たなスペクトルデータに更新されたか否かを判断する（ステップＳ２１）。ここで、データ取込部１１に入力されたスペクトルデータが、新たなスペクトルデータに更新された場合、描画処理部１３は、スペクトル表示領域１１０のグラフを、新たなスペクトルデータによるグラフに更新する（ステップＳ２２）。
さらに、描画処理部１３は、履歴選択領域１４０内の縮小画像としてのグラフを、新たなスペクトルデータによるグラフに更新する（ステップＳ２３）。
そして、制御部１２は、ステップＳ２３の更新処理を行った後、ステップＳ２１の判断に戻る。また、制御部１２は、ステップＳ２１で、スペクトルデータに更新がないと判断した場合にも、ステップＳ２１の判断を繰り返し、スペクトルデータの更新があるまで待機する。
【００４４】
［２−２．表示例］
図９は、本実施の形態例による表示の更新例を示す。
図９の上側に示す表示画面１００Ｃは、図５に示す表示画面１００Ｃと同じである。すなわち、表示画面１００Ｃは、スペクトルデータによるグラフを表示するスペクトル表示領域１１０と、履歴選択領域１４０とを備える。
履歴選択領域１４０には、過去の表示範囲の縮小画像１４１，１４２，１４３が表示される。それぞれの縮小画像１４１，１４２，１４３は、スペクトル表示領域１１０に表示されるグラフと同じスペクトルデータによるグラフである。すなわち、描画処理部１３は、スペクトル表示領域１１０に表示中のスペクトル波形のグラフを作成する際に、それぞれの縮小画像１４１，１４２，１４３の表示範囲のスペクトル波形のグラフを作成し、作成されたグラフを、表示部１６のそれぞれの位置に表示する。
【００４５】
そして、スペクトル表示装置１０のデータ取込部１１に更新したスペクトルデータが入力されたとき、図９の下側に示すように、表示画面１００Ｃ′に変化する。ここでは、例えば表示画面１００Ｃのスペクトル表示領域１１０に表示されたグラフ中の特定の２つのピークＳＰ１，ＳＰ２が、表示画面１００Ｃ′のスペクトル表示領域１１０のグラフでは、ピークＳＰ１′，ＳＰ２′として示す状態に変化したとする。
このとき、履歴選択領域１４０の縮小画像１４１，１４２，１４３にピークＳＰ１，ＳＰ２が表示される場合には、表示画面１００Ｃ′の縮小画像１４１，１４２，１４３は、ピークＳＰ１′，ＳＰ２′の強度の表示に変化する。
【００４６】
具体的には、図９に示すように、縮小画像１４１の表示範囲には、ピークＳＰ１，ＳＰ２が含まれ、縮小画像１４２，１４３の表示範囲には、ピークＳＰ１が含まれている。このとき、更新後の表示画面１００Ｃ′の各縮小画像１４１，１４２，１４３の表示状態が、更新後のピークＳＰ１′，ＳＰ２′の強度に変化する。
【００４７】
このように各縮小画像１４１，１４２，１４３として表示されるグラフが、リアルタイムのスペクトルデータによる縮小されたグラフとなることで、ユーザは、現在の入力データを表示するのに、どの表示範囲のグラフが適切であるかの目安が判るようになる。したがって、ユーザは、履歴選択領域１４０の縮小画像１４１，１４２，１４３から表示範囲を選ぶ操作が適切に行えるようになる。
【００４８】
＜３．他の変形例＞
なお、上述した各実施の形態例で説明した構成や処理は、あくまでも好適な一例を示すものであり、本発明はここで説明した実施の形態例に限定されるものではない。例えば、上述した各実施の形態例では、表示範囲の設定を行う際に、ｘ軸とｙ軸の２つの軸の範囲を自由に調整できるようしたが、いずれか１つの軸の範囲だけを調整できるようにしてもよい。例えば、スペクトル表示装置は、スペクトルのｍ／ｚ値の範囲だけをユーザ操作で調整できるようにしてもよい。この場合、履歴選択領域での縮小画像などによる履歴表示としては、図３の例などのように、ｘ軸とｙ軸の双方の上限値と下限値を表示してもよいが、調整可能な軸の上限値と下限値だけを表示してもよい。
【００４９】
また、上述した各実施の形態例では、履歴選択領域が表示する履歴（縮小画像）は、メモリ１４に記憶された過去の履歴としたが、履歴選択領域は、どの程度の過去の履歴まで表示を行うのか、ユーザ操作などで設定できるようにしてもよい。例えば、履歴選択領域は、同じ日の過去の履歴を表示し、過去の別の日に操作した履歴は表示しないようにしてもよい。あるいは、メモリ１４に過去の操作履歴を長期間保存し、ユーザ操作により、過去の操作した日付や時刻などを指定して、その指定した日付や時刻の履歴の縮小画像などを履歴選択領域に表示するようにしてもよい。
【００５０】
また、上述した各実施の形態例で説明した表示例は、１つの画面内に、スペクトル表示領域と履歴選択領域を同時に表示する例としたが、例えば、それぞれの領域は、画面内の個別のウィンドウに表示するようにしてもよい。このように個別のウィンドウに表示することで、ユーザは、スペクトル表示領域を含むウィンドウの表示位置と、履歴選択領域を含むウィンドウの表示領域を自由に設定できるようになる。
【００５１】
また、図１に示すスペクトル表示装置１０が備える操作部１５として、キーボードやマウスなどの例を説明したが、例えば表示部１６に取り付けられたタッチパネルを操作部１５としてもよい。タッチパネルを備える場合、ユーザは、画面上の履歴選択領域１３０などに表示された縮小画像などを直接タッチして、表示範囲を指定できるようになる。
さらに、図１に示すスペクトル表示装置１０は、質量分析装置１が出力するスペクトルデータによるスペクトル表示を行う構成としたが、本発明は、その他の各種分析装置（測定装置）で得られたスペクトルデータを表示する場合にも適用できる。
【符号の説明】
【００５２】
１…質量分析装置、１０…スペクトル表示装置、１１…データ取込部、１２…制御部、１３…描画処理部、１４…制御部、１５…操作部、１６…表示部、１７…バスライン、１００Ａ，１００Ｂ，１００Ｃ，１００Ｃ′，１００Ｄ，１００Ｅ…表示画面、１１０…スペクトル表示領域、１２０…コマンド領域、１２１〜１２５…操作ボタン、１３０，１４０，１５０，１６０…履歴選択領域
【図１】
2017026349.tif 000003
【図２】
2017026349.tif 000004
【図３】
2017026349.tif 000005
【図４】
2017026349.tif 000006
【図５】
2017026349.tif 000007
【図６】
2017026349.tif 000008
【図７】
2017026349.tif 000009
【図８】
2017026349.tif 000010
【図９】
2017026349.tif 000011